(57)【特許請求の範囲】
【請求項１】
携帯電話機の底部にあるコネクタを介して接続され、ワイヤレスにより送信又は受信を行なう送信部と受信部を有する第１の通信アダプタと、
第１の通信アダプタの送信部と受信部にそれぞれ対向して配置され、前記送信部及び受信部とワイヤレスにより送信又は受信可能な通信部を有し、前記送信部からの信号を通信部を介して出力ポートに出力しかつ入力ボートからの信号を通信部を介して前記受信部へ出力する第２の通信アダプタと、
が通信を行なう通信システムであって、
第２の通信アダプタは、さらに、送信部及び受信部に接続され電源オン時に携帯電話から所定周期で連続的に出力される所定の信号を検出する信号検出手段と、該信号を検出した通信部を検出する手段と、
前記信号を検出した通信部を前記出力ポートに接続する手段と、
前記信号を検出した通信部とは別の通信部を前記入力ポートに接続する手段と、を備えたことを特徴とする通信システム。
【請求項２】
携帯電話機の底部にあるコネクタを介して接続された、ワイヤレスにより送信又は受信を行なう送信部と受信部を有する携帯電話用通信アダプタの送信部と受信部にそれぞれ対向して配置され、前記送信部及び受信部とワイヤレスにより送信又は受信可能な通信部を有し、前記送信部からの信号を通信部を介して出力ポートに出力しかつ入力ポートからの信号を通信部を介して前記受信部へ出力する通信アダプタであって、
通信アダプタは、さらに、送信部及び受信部に接続され電源オン時に携帯電話から所定周期で連続的に出力される所定の信号を検出する信号検出手段と、
該信号を検出した通信部を検出する手段と、
前記信号を検出した通信部を前記出力ポートに接続する手段と、
前記信号を検出した通信部とは別の通信部を前記入力ポートに接続する手段と、を備えたことを特徴とする通信アダプタ。
【請求項３】
請求項１に記載の信号検出手段において、電波強度を表す信号を検出することを特徴とする通信システム。
【請求項４】
請求項１に記載の信号検出手段において、圏内・圏外を表す信号を検出することを特徴とする通信システム。
【請求項５】
請求項２に記載の信号検出手段において、電波強度を表す信号を検出することを特徴とする通信アダプタ。
【請求項６】
請求項２に記載の信号検出手段において、圏内・圏外を表す信号を検出することを特徴とする通信アダプタ。
【発明の詳細な説明】
【０００１】
【発明の属する技術分野】
この発明は携帯電話の底部にある１６芯コネクタにワイヤレス通信ができる通信アダプタを取り付けて、ワイヤレスで通信をする通信システムまたは通信アダプタに関する。
【０００２】
【従来の技術】
携帯電話の底部にある１６芯コネクタ（以下、１６芯コネクタ）に、送光部、受光部を別々に設けた携帯電話用通信アダプタを取り付け、車両側に設けた車載機用通信アダプタと近距離で対向させて、ワイヤレスでシリアル通信する車載シリアル通信システムが考えられる。
携帯電話のｌ６芯コネクタは形状および電気的性能が規格化されていて、どんな携帯電話の機種でも携帯電話用通信アダプタを取り付けることができる。携帯電話用通信アダプタの送光部、受光部と、車載通信アダプタの受光部、送光部とが対向していれぱ、各送光部から出力される赤外線は指向性が高いため、携帯電話用通信アダプタの送光部から出力される信号が車載機用通信アダプタの送光部へ行くことはないので、送光部、受光部が別々に赤外線通信を行っている。
【０００３】
【発明が解決しようとする課題】
しかしながら、１６芯コネクタの形状、電気的性能は規格化されているが、携帯電話の操作面に対する向きについては規定されていないため、操作面に対し、送光部と受光部が何れの向きで取付けられるは、携帯電話によって異なってしまう。そのため、使用する携帯電話によっては、通信アダプタの送光部、受光部が入れ替わってしまい、通信できないという問題があった。このため、ユーザは通信が正常に行われるか確認を行わなければならず、煩雑であった。本発明は上記の点に鑑みてなされたもので、ユーザが送光部、受光部の入れ替わりを気にすることなく、ワイヤレスで通信ができる通信システムまたは通信アダプタを提供することを目的とする。
【０００４】
【課題を解決するための手段】
本発明はこの様な従来の問題点に着目されてなされたものである。
携帯電話機の底部にあるコネクタを介して接続され、ワイヤレスにより送信又は受信を行なう送信部と受信部を有する第１の通信アダプタと、第１の通信アダプタの送信部と受信部にそれぞれ対向して配置され、前記送信部及び受信部とワイヤレスにより送信又は受信可能な通信部を有し、前記送信部からの信号を通信部を介して出力ポートに出力しかつ入力ボートからの信号を通信部を介して前記受信部へ出力する第２の通信アダプタと、が通信を行なう通信システムであって、第２の通信アダプタは、さらに、送信部及び受信部に接続され電源オン時に携帯電話から所定周期で連続的に出力される所定の信号を検出する信号検出手段と、該信号を検出した通信部を検出する手段と、前記信号を検出した通信部を前記出力ポートに接続する手段と、前記信号を検出した通信部とは別の通信部を前記入力ポートに接続する手段と、を設けた。
請求項２に記載の発明においては、携帯電話機の底部にあるコネクタを介して接続された、ワイヤレスにより送信又は受信を行なう送信部と受信部を有する携帯電話用通信アダプタの送信部と受信部にそれぞれ対向して配置され、前記送信部及び受信部とワイヤレスにより送信又は受信可能な通信部を有し、前記送信部からの信号を通信部を介して出力ポートに出力しかつ入力ポートからの信号を通信部を介して前記受信部へ出力する通信アダプタであって、通信アダプタは、さらに、送信部及び受信部に接続され電源オン時に携帯電話から所定周期で連続的に出力される所定の信号を検出する信号検出手段と、該信号を検出した通信部を検出する手段と、前記信号を検出した通信部を前記出力ポートに接続する手段と、前記信号を検出した通信部とは別の通信部を前記入力ポートに接続する手段と、を設けた。
請求項３に記載の発明においては、請求項１に記載の信号検出手段において、電波強度を表す信号を検出する手段を設けた。請求項４に記載の発明においては、請求項１に記載の信号検出手段において、圏内・圏外を表す信号を検出する手段を設けた。
請求項５に記載の発明においては、請求項２に記載の信号検出手段において、電波強度を表す信号を検出する手段を設けた。
請求項６に記載の発明においては、請求項２に記載の信号検出手段において、圏内・圏外を表す信号を検出する手段を設けた。
【０００５】
【発明の実施の形態】
本発明の実施の形態として、ハンドフリーシステムがある。図１はハンドフリーシステムの構成を示した図である。
携帯電話用通信アダプタ２は、デジタルセルラーホン共通インタフェース仕様を満たした携帯電話１に、底部に設けられたｌ６芯コネクタと適合する１６芯コネクタによって接続されている。携帯電話用通信アダプタ２には、ワイヤレス通信、たとえば、赤外線通信（以下、赤外線通信の場合で説明する）が可能な送光部１００と受光部１０１が設けられ、携帯電話１からの電気信号を赤外線による光信号に変換して出力する。
【０００６】
車載機用通信アダプタ３には携帯電話用通信アダプタ２の送光部１００および受光部１０１に対向する位置にそれぞれ送受光部１０２ａおよび１０２ｂが設けられている。送受光部１０２ａおよび１０２ｂは、それぞれ、赤外線による光信号を受光した場合には電気信号に変換して出力し、電気信号を入力した場合には、赤外線による光信号に変換して送光可能となっている。
車載機用通信アダプタ３の送受光部１０２ａ、１０２ｂにはそれぞれ下りシリアル信号検出装置１０、１１と、送受光部１０２ａと１０２ｂに対する、後述する出力ポート４と入力ポート５の接続を切り換える送受光部切替えスイツチ１２、１３が接続されている。
【０００７】
ここで、下りシリアル信号について説明する。携帯電話１の電源がオンの間は、着信時や発呼時にかかわらず、１秒間に３〜５回程度、連続的にデジタル信号が出力される。
このデシタル信号のフォーマットとしては、スタートビットＳＴ、データＤ０〜Ｄ７、パリティビットＰ、そして、ストップビットＳＰからなるため、スタートビットＳＴとストップビットＳＰを検出することにより、下りシリアル信号を検出できる。
なお、携帯電話使用時には、この下りシリアル信号のデータＤ０〜Ｄ７に、音声データやコマンドデータが入るが、コマンドや音声を通信していない場合であっても、携帯電話の電源がオンになっている間は、このデータＤ０〜Ｄ７には、例えば、電界強度を示す電界強度信号や圏内または圏外を示す圏内外信号がはいる。これらの信号は特定のパターン（電波強度を表す信号は、０ｘＣ０〜０ｘＣＦの値をもつ。また圏外・圏内信号は０ｘ８０、０ｘ８１値をもつ）を有するため、この電界強度信号や圏内外信号を検出するようにしてもよい。また、電界強度信号や圏内外信号に限らず、携帯電話メーカによっては、他の信号を、通話中で有るかいなかを問わず、電源がオンの間、所定時間間隔で連続的に出力する場合が有るため、このような信号を検出するようにしてもよい。
【０００８】
そして、下りシリアル信号検出装置１０，１１間は接続されており、一方で下りシリアル信号を検出すると、もう一方の下りシリアル信号検出装置に報告するようになっている。
送受光部切替えスイツチ１２，１３の他端は、それぞれ出力ボート４、入力ポート５に接続されている。
車載通信アダプタ３の出力ポート４は、電話番号を予め入力した短縮メモリにより発呼制御できる装置（以下、短縮ボタン）６に接続されている。また車載通信アダプタ３の入力ポート５には発呼する電話番号を表示する装置７に接続されている。短縮ボタン６を押すと、車載通信アダプタ３および携帯電話用通信アダプタ２を経由して、携帯電話１が発信する。このとき、携帯電話用アダプタ２および車載通信アダプタ３を経由して、携帯電話１が発信した電話番号を表示することができる。
【０００９】
このように携帯電話用通信アダプタ２、車載機用通信アダプタ３を使用して、短縮ボタン６や表示装置７を利用すると、ドライバーは携帯電話１に対し、電話をかける操作が簡単になる。
ここでは、ワイヤレス通信を赤外線通信で行うこととしたが、微弱電波や電磁誘導を使った通信でもよい。
【００１０】
次に、図２に示すフローチヤートを用いて、実施の形態の動作を説明する。
まず下りシリアル信号検出装置１１および１２は、ステツプＳ１１０で、下りシリアル信号を検出する。下りシリアル信号が検出されない場合は、ステツプＳ１１０に戻り、処理を繰り返す。
【００１１】
ステップＳ１２０において、信号が検出された送受光部が送受光部１０２ｂかどうかを判別する。
送受光部１０２ｂである場合には、ステップＳ１３０で送受光部１０２ｂに接続された送受光部切替えスイツチ１３が入力ポート５側になっていなけれぱ、入力ポート５側に切替える。
【００１２】
次にステップＳ１４０で、下りシリアル信号検出装置１１は信号を検出したことを下りシリアル信号検出装置１０に報告する。ステップＳ１５０では、信号検出の報告を受けた下りシリアル信号検出装置１０は、送受信ポート切替えスイッチ１２が出力ポート４側になっていなければ、出力ポート４側に切替える。
携帯電話用通信アダプタ３の送光部１００に対向する送光部が１０２ｂでない場合、つまり、対向する送光部が１０２ａの場合には、ステップＳ１６０で送光部１０２ａに接続された送受光部切替えスイッチ１２が入力ポート５側になっていなけれぱ、入力ポート５側に切替える。
【００１３】
次にステップＳ１７０で置１０は信号を検出したことを下りシリアル信号検出装置１１に報告する。
ステップＳ１８０では、信号検出の報告を受けた下りシリアル信号検出装置１１は、送受光部切替えスイツチ１３が出力ポート４側になっていなければ、出力ポート４側に切替える。
以上説明してきたように、本発明の実施の形態によれば、携帯電話から出力される下りシリアル信号の存在を検出したり、下りシリアル信号のデータ中の特定パターンを検出することにより、車載機側の送受光部を切替えることで、ユーザがシリアル通信の送信、受信ポートの入れ替わりを気にすることなく、ワイヤレスでシリアル通信ができる。
【００１４】
【発明の効果】
以上説明してきたように、本発明によれば、携帯電話から降りてくる下りシリアル信号または下りシリアル信号中のデータの特定パターンを検知することにより、車載機の受信ポート、送信ポートを切替えることで、ユーザがシリアル通信の送信、受信ポートの入れ替わりを気にすることなくワイヤレスでシリアル通信ができる、という効果がある。
【図面の簡単な説明】
【図１】本発明の実施の形態の車載用無線通信装置の構成図である。
【図２】本発明の実施の形態の車載用無線通信装置の動作を説明するフローチャートである。
【符号の説明】
１  携帯電話機
２  携帯電話用通信アダプタ
３  車載機用通信アダプタ
４  出力ポート
５  入力ポート
６  電話番号を予め入力した短縮メモリにより発呼制御できる装置
７  発呼する電話番号を表示する装置
１０  下りシリアル信号検出装置
１１  下りシリアル信号検出装置
１２  送受光部切替えスイツチ
１３  送受光部切替えスイッチ
１００  送光部
１０１  受光部
１０２ａ  送受光部
１０２ｂ  送受光部
【図１】
0003627555.tif 000002
【図２】
0003627555.tif 000003